(57)【要約】【課題】扉付き収納家具を効率よく出荷することができ、扉付き収納家具の設置段階で扉に傷が付きにくく、注文がキャンセルされたときにも対処し易い扉付き収納家具の出荷方法を提供する。【解決手段】複数のベースキャビネット１１、１２、１３、１４と、これらのベースキャビネット１１、１２、１３、１４の上に設置されるシンクを有するワークトップとから構成されるシステムキッチンを出荷する場合は、まず、ベースキャビネット１２、１３、１４に扉が取り付けられていないシステムキッチン本体１０ａを製造し、これを梱包した状態で建築現場等に出荷する。また、扉が出来上がると、扉だけを梱包した状態で、建築現場等に出荷する。【選択図】        図１
2006102092.tif 000002
【特許請求の範囲】
【請求項１】
収納家具本体とこの収納家具本体に取り付ける扉とをそれぞれ個別に梱包して出荷するようにしたことを特徴とする扉付き収納家具の出荷方法。
【請求項２】
前記収納家具本体に取り付ける引き出しまたは引き出しの前板を、前記扉と共に梱包して出荷するようにした請求項１に記載の扉付き収納家具の出荷方法。
【発明の詳細な説明】
【技術分野】
【０００１】
この発明は、キッチンユニットや洗面ユニットといった扉付き収納家具の出荷方法に関する。
【背景技術】
【０００２】
システムキッチン等のキッチンユニットや洗面化粧台等の洗面ユニットといった扉付き収納家具は受注生産品であり、注文を受けた収納家具メーカーが、図４に示すように、自社の工場内において、収納家具本体５１に扉５２及び引き出し５３を取り付けた完成品の状態まで組み立てた後、その前面、両側面及び背面にビニールシート６１を巻き付け、段ボールによって形成された断面Ｌ字状の保護部材６２によって扉付き収納家具５０のコーナー部を覆うと共に、段ボールによって形成されたトレー状の梱包材６３を扉付き収納家具５０の上部及び底部に被せ、上下の梱包材６３、６３を樹脂製の結束ベルト６４を用いて結束することによって梱包した状態で建築現場等に出荷していた。
【０００３】
【特許文献１】特開２００２−１２８２４３号公報
【発明の開示】
【発明が解決しようとする課題】
【０００４】
ところで、システムキッチンや洗面化粧台等の扉付き収納家具を設置する際は、扉が邪魔になるので、キャビネットから扉を一旦取り外し、扉なしの状態で収納家具本体を設置した後、再び、キャビネットに扉を取り付けるといった施工方法が一般的に採用されているが、施工業者が、キャビネットから扉を取り外す際やキャビネットから取り外した扉を保管する際に、作業者の不注意によって、扉の表面に傷がつくといった問題があった。
【０００５】
また、収納家具メーカーは、デザインのバリエーションが少なく、共通に使用することができるキャビネット等の収納家具本体の構成部品については、在庫を持っているが、デザインのバリエーションが豊富な扉については、在庫を持っておらず、顧客から注文を受ける度に、協力業者に扉を発注するのが一般的である。従って、扉の調達リードタイムが扉付き収納家具の出荷リードタイムに大きく影響することになり、注文を受けてから出荷するまでに要する時間をなかなか短縮することができないという問題もある。
【０００６】
また、梱包された扉付き収納家具を出荷する段階で、その注文がキャンセルされた場合、バリエーションの少ない収納家具本体と、バリエーションの豊富な扉とに分けて保管するのが望ましいが、既に、完成品として梱包されている扉付き収納家具の梱包を解いて、収納家具本体と扉とに分けて保管するのは面倒なので、全く同じ扉付き収納家具の注文があるまで、キャンセルされた扉付き収納家具を梱包状態のままで保管しているのが現状であり、キャンセルされた扉付き収納家具の在庫を処分し難いという問題もある。
【０００７】
そこで、この発明の課題は、扉付き収納家具を効率よく出荷することができ、扉付き収納家具の設置段階で扉に傷が付きにくく、注文がキャンセルされたときにも対処し易い扉付き収納家具の出荷方法を提供することにある。
【課題を解決するための手段】
【０００８】
上記の課題を解決するため、請求項１にかかる発明は、収納家具本体とこの収納家具本体に取り付ける扉とをそれぞれ個別に梱包して出荷するようにしたことを特徴とする扉付き収納家具の出荷方法を提供するものである。
【０００９】
また、請求項２にかかる発明は、請求項１にかかる発明の扉付き収納家具の出荷方法において、前記収納家具本体に取り付ける引き出しまたは引き出しの前板を、前記扉と共に梱包して出荷するようにしたのである。
【発明の効果】
【００１０】
以上のように、請求項１にかかる発明の扉付き収納家具の出荷方法では、収納家具本体と扉とをそれぞれ個別に梱包して出荷するようにしたので、扉の出来上がりを待たずに、収納家具本体が出来上がった段階で、収納家具本体だけを先に出荷することができる。従って、建築現場では、先に届いた扉のない収納家具本体を先に設置することができると共に、収納家具本体に扉を取り付けた完成品の状態で扉付き収納家具を出荷する場合のように、扉付き収納家具を設置する際に、邪魔になる扉を収納家具本体から取り外す必要もない。
【００１１】
また、収納家具本体に扉を取り付けた完成品の状態で扉付き収納家具を出荷する場合とは異なり、建築現場において、作業者が収納家具本体から扉を取り外して保管する必要がなく、扉は収納家具本体とは別に梱包された状態で建築現場等に出荷されるので、作業者が収納家具本体を設置する際、作業者の不注意によって、扉の表面に傷がつくことがなく、常時、扉付き収納家具を綺麗な状態で設置することができる。
【００１２】
また、建築現場に出荷する段階で、扉付き収納家具の注文がキャンセルされた場合には、バリエーションの少ない収納家具本体と、バリエーションの豊富な扉とが個別に梱包されているので、そのままの状態で保管しておけば、その後に、いずれか一方を含む扉付き収納家具の注文があったっときに、梱包された状態で保管されている収納家具本体または扉をそのまま再出荷することができるので、製造、販売効率を向上させることができる。
【００１３】
また、請求項２にかかる発明の扉付き収納家具の出荷方法では、収納家具本体に取り付ける引き出しまたは引き出しの前板を、扉と共に梱包して出荷するようにしたので、作業者は、収納家具本体を設置した後に、収納家具本体に引き出しを取り付けたり、引き出しに前板を取り付けたりすればよい。従って、収納家具本体に扉及び引き出しを取り付けた完成品の状態で扉付き収納家具を出荷する場合のように、建築現場において、引き出しを取り付けた扉付き収納家具を設置する際に、作業者の不注意によって、引き出しの前板表面に傷がつくことがなく、常時、引き出しを有する扉付き収納家具を綺麗な状態で設置することができる。
【発明を実施するための最良の形態】
【００１４】
以下、実施の形態について図面を参照して説明する。図１は、図２に示すシステムキッチン１０を建築現場に出荷する際の出荷形態を示している。システムキッチン１０は、同図に示すように、複数のベースキャビネット１１、１２、１３、１４と、これらのベースキャビネット１１、１２、１３、１４の上に設置されるシンクを有するワークトップ１５とから構成されており、ベースキャビネット１２、１３、１４には、扉１２ａ、１３ａ、１４ａが取り付けられていると共に、ベースキャビネット１３には、引き出し１３ｂ、１３ｂが取り付けられている。なお、ベースキャビネット１１は、スライドタイプのベースキャビネットであり、調理用具等を掛けることができるようになっている。
【００１５】
以上のように構成されるシステムキッチン１０は、基本的に、注文を受けたキッチンメーカーにおいて製造されるが、ベースキャビネット１２、１３、１４の扉１２ａ、１３ａ、１４ａ、１４ａについては、キッチンメーカーがシステムキッチン１０の注文を受けた時点で、協力業者に発注し、協力業者からキッチンメーカーに納入されるようになっている。以下、このシステムキッチン１０を、キッチンメーカーから建築現場等に出荷する際の出荷方法について説明する。
【００１６】
まず、図３に示すように、キッチンメーカーは、ベースキャビネット１２、１３、１４に扉１２ａ、１３ａ、１４ａ、１４ａが取り付けられていないシステムキッチン本体１０ａを製造し、このシステムキッチン本体１０ａを梱包する。具体的には、図１に示すように、段ボールによって形成されたトレー状の梱包材２３の上にシステムキッチン本体１０ａを載置した状態で、システムキッチン本体１０ａの前面、両側面及び背面にビニールシート２１を巻き付け、段ボールによって形成された断面Ｌ字状の保護部材２２によってシステムキッチン本体１０ａのコーナー部を覆った後、段ボールによって形成された逆トレー状の梱包材２４を扉付きシステムキッチン本体１０ａの上部に被せ、上下の梱包材２３、２４を樹脂製の結束ベルト２５を用いて結束することになる。そして、このように梱包されたシステムキッチン本体１０ａが建築現場等に出荷される。
【００１７】
また、協力業者からキッチンメーカーに納入された扉１２ａ、１３ａ、１４ａ、１４ａについては、それぞれエアクッションシートを用いて包み込んだ後、これらを積み重ねた状態で、同図に示すように、全体をエアクッションシート２６を用いてさらに包み込み、結束ベルト２７を用いて結束することによって梱包した状態で、建築現場等に出荷される。
【００１８】
以上のように、このシステムキッチン１０の出荷方法では、ベースキャビネット１２、１３、１４に扉１２ａ、１３ａ、１４ａ、１４ａが取り付けられていないシステムキッチン本体１０ａと扉１２ａ、１３ａ、１４ａ、１４ａとをそれぞれ個別に梱包して出荷するようにしたので、キッチンメーカーは、協力業者からの扉１２ａ、１３ａ、１４ａ、１４ａの納入を待たずに、システムキッチン本体１０ａが出来上がった段階で、システムキッチン本体１０ａだけを先に建築現場等に出荷することができる。
【００１９】
従って、建築現場等では、先に届いた、扉１２ａ、１３ａ、１４ａ、１４ａのないシステムキッチン本体１０ａを先に設置することができると共に、ベースキャビネット１２、１３、１４に扉１２ａ、１３ａ、１４ａ、１４ａを取り付けた完成品の状態でシステムキッチン１０を出荷する場合のように、システムキッチン１０を設置する際に、邪魔になる扉１２ａ、１３ａ、１４ａ、１４ａをベースキャビネット１２、１３、１４から取り外す必要がないので、システムキッチン１０を効率よく設置することができる。
【００２０】
また、ベースキャビネット１２、１３、１４に扉１２ａ、１３ａ、１４ａ、１４ａを取り付けた完成品の状態でシステムキッチン１０を出荷すると、作業者がシステムキッチン１０を設置する際、作業者は、建築現場等に届いたシステムキッチン１０から、邪魔になる扉１２ａ、１３ａ、１４ａ、１４ａを取り外して保管しなければならず、ベースキャビネット１２、１３、１４から扉１２ａ、１３ａ、１４ａ、１４ａを取り外す際やベースキャビネット１２、１３、１４から取り外した扉１２ａ、１３ａ、１４ａ、１４ａを保管する際に、作業者の不注意によって、扉１２ａ、１３ａ、１４ａ、１４ａに傷がつくおそれがあるが、このシステムキッチン１０の出荷方法では、扉１２ａ、１３ａ、１４ａ、１４ａはシステムキッチン本体１０ａとは別に梱包された状態で建築現場等に出荷されるので、作業者がシステムキッチン本体１０ａを設置する際、扉１２ａ、１３ａ、１４ａ、１４ａに傷がつくことがなく、常時、システムキッチン１０を綺麗な状態で設置することができる。
【００２１】
また、建築現場にシステムキッチン１０を出荷する段階で、システムキッチン１０の注文がキャンセルされた場合には、バリエーションの少ない扉のないベースキャビネット１２、１３、１４やワークトップ１５等によって構成されているシステムキッチン本体１０ａと、バリエーションの豊富な扉１２ａ、１３ａ、１４ａ、１４ａとが個別に梱包されているので、そのままの状態で保管しておけば、その後に、いずれか一方を含むシステムキッチンの注文があったっときに、梱包された状態で保管されているシステムキッチン本体１０ａまたは扉１２ａ、１３ａ、１４ａ、１４ａをそのまま出荷すればよいので、手間をかけずに在庫を効率よく処分することができる。
【００２２】
なお、上述した実施形態では、協力業者から納入されたベースキャビネット１２、１３、１４の扉１２ａ、１３ａ、１４ａ、１４ａを、キッチンメーカーが建築現場等に出荷するようになっているが、これに限定されるものではなく、協力業者から建築現場等に直接出荷するようにしてもよい。
【００２３】
また、上述した実施形態では、キッチンメーカーが、ベースキャビネット１２、１３、１４の扉１２ａ、１３ａ、１４ａ、１４ａの製造を協力業者に委託する場合について説明したが、これに限定されるものではなく、キッチンメーカーが、システムキッチン本体１０ａと共にベースキャビネット１２、１３、１４の扉１２ａ、１３ａ、１４ａ、１４ａを製造する場合についても、本発明を適用することができる。その場合も、システムキッチン本体１０ａと扉１２ａ、１３ａ、１４ａ、１４ａとをそれぞれ個別に梱包して出荷しなければならないことはいうまでもない。
【００２４】
また、上述した実施形態では、引き出し１３ｂ等が取り付けられた状態で、システムキッチン本体１０ａを梱包して出荷するようにしているが、これに限定されるものではなく、キャビネットの前面に露出する引き出し１３ｂ等や引き出し１３ｂ等の前板を取り外した状態で、システムキッチン本体１０ａを梱包して出荷することも可能であり、その場合は、取り外した引き出し１３ｂ等や引き出し１３ｂ等の前板を、扉１２ａ、１３ａ、１４ａ、１４ａと共に梱包して出荷すればよい。
【００２５】
また、上述した実施形態では、システムキッチン１０の出荷方法について説明したが、これに限定されるものではなく、本発明は、セクショナルキッチンや洗面化粧台等の各種扉付き収納家具を出荷する場合に適用することができる。
【図面の簡単な説明】
【００２６】
【図１】この発明にかかる扉付き収納家具の出荷方法を採用したシステムキッチンの出荷形態を示す斜視図である。
【図２】同上のシステムキッチンを示す斜視図である。
【図３】同上のシステムキッチンにおける扉を取り付ける前の状態を示す斜視図である。
【図４】従来のシステムキッチンの出荷形態を示す斜視図である。
【符号の説明】
【００２７】
１０  システムキッチン
１０ａ  システムキッチン本体
１１、１２、１３、１４  ベースキャビネット
１２ａ、１３ａ、１４ａ  扉
１３ｂ  引き出し
１５  ワークトップ
２１  ビニールシート
２２  保護部材
２３、２４  梱包材
２５  結束ベルト
２６  エアクッションシート
２７  結束ベルト
【図１】
2006102092.tif 000003
【図２】
2006102092.tif 000004
【図３】
2006102092.tif 000005
【図４】
2006102092.tif 000006